(57)【要約】      （修正有）【課題】巻き上げ時船べりに丸篭が強く押し当てられるため支持枠が変形することを防止する支持枠を増強した貝類の円筒状養殖篭を提供する。【解決手段】支持枠を増強した貝類の円筒状養殖篭は、円形の支持枠１と、支持枠１の中心を通るように接合された３本の補強梁２と、支持枠１と補強梁２を網地で被って形成した皿網３と、皿網３を上下に所定間隔を空けて配置し、皿網３の外側を網地で筒状に被って形成した側網４と、支持枠１と補強梁２との結合部５に結び目を形成して側網４の網目を通過して下段の皿網３にそれぞれ同様に結び目を形成して連結した吊ロープ６とから構成され、支持枠１が外力により変形することを大幅に軽減できるし、吊ロープ６を３本にすることで平面が決定され安定するし、潮流による抵抗が減少する。【選択図】図１
0003196446.tif 000002
【実用新案登録請求の範囲】
【請求項１】
円形の支持枠と、該支持枠に連結された３本の補強梁と、前記支持枠と前記補強梁を網地で被って形成した皿網と、該皿網を上下に所定間隔を空けて配置し、前記皿網の外側を網地で筒状に被って形成した側網と、前記支持枠と前記補強梁との結合部に結び目を形成して前記側網の網目を通過して下段の皿網の支持枠と補強梁との結合部にそれぞれ同様に結び目を形成して多段に連結した吊ロープとからなり、前記３本の補強梁は、各補強梁と補強梁とのなす交差角度が６０°となるように結合されることを特徴とする支持枠を増強した貝類の円筒状養殖篭。
【請求項２】
前記吊ロープは、前記支持枠と前記補強梁との結合部に等分割となるように３本の吊ロープにより連結することを特徴とする請求項１記載の支持枠を増強した貝類の円筒状養殖篭。
【請求項３】
前記３本の吊ロープは、１本を他の２本と違う着色が施されることを特徴とする請求項１記載の支持枠を増強した貝類の円筒状養殖篭。
【考案の詳細な説明】
【技術分野】
【０００１】
本考案は、貝類等を養殖するために使用される円筒状の連段養殖篭の支持枠を増強した貝類の円筒状養殖篭に関する。
【背景技術】
【０００２】
従来、帆立貝、カキ、真珠貝のような貝類等の養殖に用いる連段篭は複数段に配置された円形の支持枠と、この支持枠の内側に補強のために連結された補強梁２本が十文字に配置されたおり、前記支持枠外周に連結された側網と、前記支持枠と補強梁により形成される皿部分の上に連結された皿網と、前記支持枠の補強梁の取付部に連結した４本の吊ロープと、前記側網の胴部に貝を出し入れするための開口部を設けた、円筒状の篭が知られている。
【０００３】
しかし、上記のような従来の構成では、篭を船上に巻き上げる際、支持枠が篭の荷重により船べりに強く押し当てられるため、変形してしまう。
後で手で引っ張って元に戻そうとしても、支持枠が塑性変形してしまい、さらに支持枠には側網、皿網が連結しているため、一度変形したら支持枠は簡単に元に戻せない状況になってしまう。
元に戻せなくなった篭はその後使用することができなくなり、ひいては漁家の経営を圧迫する原因ともなっている。
【０００４】
他方、円筒状の養殖かごの各段の棚のデッドスペースをできるだけ減少して潮通しを良くすると共に養殖対象の居住区の網地面積を広くとることができる連段養殖かごが知られている（特許文献１を参照）。
この公知技術は、複数段に配置された円形支持枠と、この各段の円形支持枠の外側に設けられた網地から成る外囲と、上記円形支持枠に取付けられたＹ字状の補強用桟と、上記各段の円形支持枠に取り付けられ、上記外囲内に複数段の収納室を形成する網地から成る棚と、上記外囲の胴部に形成された養殖対象の投入・排出部と、上記円形支持枠の外周の補強用桟取付け部位に連結された３本の吊りロープとを備えた連段養殖かごである。
このＹ字状の補強用桟の図２（ｃ）では、支持枠上の補強梁の連結部の間隔が従来の２本梁の図２（ｂ）よりも長くなるため、支持枠の強度が低下してしまい、篭を船上に巻き上げる際、従来の篭よりも支持枠が変形しやすくなってしまうという欠点がある。
この連段養殖かごは、Ｙ字状の補強用桟の溶接に手間がかかり、かつ溶接部が突合せ溶接で不良となる恐れがあり、現実に製品化されないものであった。
【先行技術文献】
【特許文献】
【０００５】
【特許文献１】特開２００４-３５０５９３号公報
【考案の概要】
【考案が解決しようとする課題】
【０００６】
本考案は、円筒状の連段篭の巻き上げ時の支持枠の変形を防止する支持枠を増強した貝類の円筒状養殖篭を提供することを目的とする。
【課題を解決するための手段】
【０００７】
本考案の支持枠を増強した貝類の円筒状養殖篭は、円形の支持枠と、該支持枠に連結された３本の補強梁と、前記支持枠と前記補強梁を網地で被って形成した皿網と、該皿網を上下に所定間隔を空けて配置し、前記皿網の外側を網地で筒状に被って形成した側網と、前記支持枠と前記補強梁との結合部に結び目を形成して前記側網の網目を通過して下段の皿網の支持枠と補強梁との結合部にそれぞれ同様に結び目を形成して多段に連結した吊ロープとからなり、前記３本の補強梁は、各補強梁と補強梁とのなす交差角度が６０°となるように結合される。
前記吊ロープは、前記支持枠と前記補強梁との結合部に等分割となるように３本の吊ロープにより連結する。
前記３本の吊ロープは、１本を他の２本と違う着色が施される。
【考案の効果】
【０００８】
本考案の支持枠を増強した貝類の円筒状養殖篭は、補強梁を３本とすることで、篭を船上に巻き上げる際、支持枠が外力により変形することを大幅に軽減できるため、篭の修理が大幅に軽減され、労働時間の短縮が図れるほか、篭が傷まないので耐用年数を増やして、漁家の経営を改善することができる。また補強梁を３本とすることで、支持枠上の補強梁端末の連結部分が６箇所形成されるので、容易に吊ロープを３本にできるようになり、平面は３点により形成されるため、４本吊ロープよりも安定する。なお、４本吊ロープでは、ロープの長さが少しでも違うと皿網が傾いてしまい、貝が片方に寄ることで、栄養が十分に取れず発育不良になったり、貝がぶつかり合うことで貝殻外周が破損し、破損した箇所はその後成長できなくなることから、欠殻貝という売り物にならない貝になってしまう。
【０００９】
本考案の支持枠を増強した貝類の円筒状養殖篭は、吊ロープが３本となることで、３点により決定された平面が成立し、皿網部分を水平面に保つことができるようになることから、養殖中の貝が片方に寄ることを防止し、貝の成長を促すほか、貝同士が衝突して破損する事故を軽減し、漁獲量の向上につなげることができる。また、３本の吊りロープは、４本吊ロープに比べ、潮流の抵抗が少ないので、潮流によるかごの揺れや篭の傾きが少なく、その分篭が安定し、貝の成長が大きく、漁獲量の向上につなげることができる。
【００１０】
本考案の支持枠を増強した貝類の円筒状養殖篭は、３本の吊ロープの１本を他の２本と違う着色が施されるため、開口部と反対側に着色ロープを配置することにより、着色ロープを持ち上げることにより開口部が下向きとなり貝の投入・排出を迅速に行うことができる。
【図面の簡単な説明】
【００１１】
【図１】本考案の支持枠を増強した貝類の円筒状養殖篭を示す概略斜視図である。
【図２】支持枠の平面視（ａ）本考案の３本補強梁、（ｂ）従来の２本梁、（ｃ）特許文献１の梁、を表した概略平面図である。
【考案を実施するための形態】
【００１２】
本考案の支持枠を増強した貝類の円筒状養殖篭の一実施例を添付図面に基づいて、以下に説明する。
図１に示すように、本考案の支持枠を増強した貝類の円筒状養殖篭は、円形の支持枠１と、該支持枠１の中心を通るように重ね接合された３本の補強梁２と、前記支持枠１と前記補強梁２を網地で被って形成した皿網３と、該皿網３を上下に所定間隔を空けて配置し、前記皿網３の外側を網地で筒状に被って形成した側網４と、前記支持枠１と前記補強梁２との結合部５に結び目を形成して前記側網４の網目を通過して下段の皿網３にそれぞれ同様に結び目を形成して連結した吊ロープ６とから構成される。
【００１３】
前記３本の補強梁２は、細い補強用棒で前記支持枠１の中心を通るように重なり部８を溶接、接着、クリップ、金具、しばり紐等により接合され、各補強梁２と補強梁２とのなす交差角度が６０°となるように前記支持枠１の結合部５に結合される。
【００１４】
前記吊ロープ６は、前記支持枠１と前記補強梁２との結合部５に等分割となるように３本の吊ロープ６により上下多段の皿網３に多数個連続して連結する。
また、前記３本の吊ロープ６は、開口部と反対側の１本を他の２本と違う着色が施される。
なお、番号７は、貝の投入・排出を行う開口部である。
【００１５】
次に、本考案の支持枠を増強した貝類の円筒状養殖篭の作用効果を添付図面に基づいて、以下に説明する。
図１に示すように、本考案の支持枠を増強した貝類の円筒状養殖篭は、３本の補強梁２により支持枠１の中心を通るように重なり部８を溶接、接着、クリップ、金具、しばり紐等により接合され、各補強梁２と補強梁２とのなす交差角度が６０°となるように前記支持枠１の結合部５に結合されるので、径の細い補強梁２を使用しても、従来の丸篭よりも支持枠上の補強梁の連結部の間隔（図２（ａ）を参照）が従来の２本梁（図２（ｂ）を参照）よりも短くなること、補強梁が図２（ｂ）の２本から図２（ａ）の３本となるため、全方向からの外力による変形に耐える構造となることから外力による変形が大幅に軽減される。このため、巻き上げ時に丸篭が船べりに強く押し当てられても、支持枠の変形が大幅に軽減される。また、貝の成長による荷重の増加により、補強梁が連結されていない場所に荷重が掛かっても変形する恐れがない。
【００１６】
また、本考案の支持枠を増強した貝類の円筒状養殖篭は、支持枠１と補強梁２との結合部５に等分割となるように３本の吊ロープ６により上下多段に皿網３を多数個連続して連結しているので、３点により平面が決定されることから、４本吊ロープよりも篭が安定し、海中で養殖中に潮流による揺れや傾きや、貝が成長して荷重が増した場合や、貝の移動による丸篭の重心が移動した場合でも、皿網のズレや緩みがなく、安定した状態での吊下げが維持できる。
また、吊ロープが４本から３本になることで、潮流の抵抗を軽減することができ、養殖中の篭の姿勢をより安定させることができるようになる。特に長期間海中で養殖を継続すると、ロープに海藻や貝類が付着することから、潮流の抵抗が一層大きくなる。この理由からロープが４本から３本に減ることで、潮流の抵抗を大幅に減らすことができるようになり、篭の姿勢を安定させ、貝の成長を促し、ひいては漁獲の向上へと結び付けられるようになる。
【００１７】
さらに、本考案の支持枠を増強した貝類の円筒状養殖篭は、３本の吊ロープ６により１本を他の２本と違う着色が施されるので、開口部７と反対側に着色ロープを配置することにより、着色ロープを持ち上げることにより開口部７が下向きとなり貝の排出を迅速に行うことができる。
【符号の説明】
【００１８】
１  支持枠
２  補強梁
３  皿網
４  側網
５  結合部
６  吊ロープ
７  開口部
８  重なり部
【図１】
0003196446.tif 000003
【図２】
0003196446.tif 000004
【手続補正書】
【提出日】平成26年12月25日(2014.12.25)
【手続補正１】
【補正対象書類名】実用新案登録請求の範囲
【補正対象項目名】全文
【補正方法】変更
【補正の内容】
【実用新案登録請求の範囲】
【請求項１】
円形の支持枠と、該支持枠に連結された３本の補強梁と、前記支持枠と前記補強梁を網地で被って形成した皿網と、該皿網を上下に所定間隔を空けて配置し、前記皿網の外側を網地で筒状に被って形成した側網と、前記支持枠と前記補強梁との結合部に結び目を形成して前記側網の網目を通過して下段の皿網の支持枠と補強梁との結合部にそれぞれ同様に結び目を形成して多段に連結した吊ロープとからなり、前記３本の補強梁は、各補強梁と補強梁とのなす交差角度が６０°となるように結合されることを特徴とする支持枠を増強した貝類の円筒状養殖篭。
【請求項２】
前記吊ロープは、前記支持枠と前記補強梁との結合部に等分割となるように３本の吊ロープにより連結することを特徴とする請求項１記載の支持枠を増強した貝類の円筒状養殖篭。
【請求項３】
前記３本の吊ロープは、１本を他の２本と違う着色が施されることを特徴とする請求項２記載の支持枠を増強した貝類の円筒状養殖篭。